(57)【要約】【課題】植物性のディーゼル自動車用代替燃料に好適であると共に消防法等の関連法規に適合し安全貯蔵量を多量化し得る新規なディーゼル自動車用代替燃料の貯蔵供給設備を提供する。【解決手段】基盤の周縁に防油堤板を周設して上面解放の升形状基枠を形成し、該升形状基枠に給油用の操作器具類、計量メーター類等を適宜に配備する正面パネル部を設けると共に該升形状基枠にディーゼル自動車用代替燃料の貯蔵に適合する円筒状等のオイルタンクを一体的に設置固定してオイルタンクユニットを構成し、該オイルタンクユニットを周縁に防油堤凹溝を設けてなる所定のコンクリート打設地盤上にアンカーボルト等介して設置固定する。【選択図】図４
0003133492.tif 000002
【実用新案登録請求の範囲】
【請求項１】
基盤の周縁に防油堤板を周設して上面解放の升形状基枠を形成し、該升形状基枠に給油用の操作器具類、計量メーター類等を適宜に配備する正面パネル部を設けると共に該升形状基枠にディーゼル自動車用代替燃料の貯蔵に適合する円筒状等のオイルタンクを一体的に設置固定してオイルタンクユニットを構成し、該オイルタンクユニットを周縁に防油堤凹溝を設けてなる所定のコンクリート打設地盤上にアンカーボルト等を用いて強固に設置固定することを特徴とするディーゼル自動車用代替燃料の貯蔵供給設備。
【請求項２】
前記升形状基枠の所要箇所に水抜きバルブを配備してなる請求項１に記載のディーゼル自動車用代替燃料の貯蔵供給設備。
【考案の詳細な説明】
【技術分野】
【０００１】
本考案は、主にパームヤシから得るパーム油をベースとする植物性バイオディーゼル自動車燃料「ＥＢＤ」や廃食油燃料等を代表とするディーゼル自動車用代替燃料の貯蔵供給設備に関するものである。
【背景技術】
【０００２】
近時、ディーゼルエンジンの有害排出ガスによる大気汚染の防止対策等の観点から、軽油の代替燃料として排出ガスがクリーンな植物性バイオディーゼル自動車燃料「ＥＢＤ」や廃食油燃料等の植物性のディーゼル自動車用代替燃料が注目を浴びている。
【０００３】
例えば、植物性バイオディーゼル自動車燃料「ＥＢＤ」は、純粋にパームヤシから抽出したパーム油を原料とするものであり、化石燃料から作られた軽油と馬力、燃費等でほぼ同等の性能を有する燃料である。
【０００４】
同燃料は、原料のパームヤシの植物成長段階において二酸化炭素を吸収し、かつ、酸素を放出しており、燃料として燃焼した際の二酸化炭素は、京都議定書ではカーボンニュートラルとして二酸化炭素の排出量はゼロとされている。実際の二酸化炭素の排出量は、軽油より僅かに約２％程度増えるが、ＰＭ（粒子状物質）は大幅に１８％削減でき、環境衛生上きわめて有利である。また、価格面では軽油に比して割安に供給でき、コスト削減にも資することができると共にゴム質、金属などからなる自動車部品に対する腐食性もない。
【０００５】
このように植物性バイオディーゼル自動車燃料「ＥＢＤ」や廃食油燃料等に代表されるディーゼル自動車用代替燃料は、きわめて優れた性能、性質を有するが、税制上の制約から軽油と混合することは禁止されていることもあって、専用の貯蔵、供給設備を設ける必要がある。
【０００６】
【特許文献１】特開２００２−６１５４２号公報
【考案の開示】
【考案が解決しようとする課題】
【０００７】
本願考案は、このような状況に鑑みて案出したものであって、主にパームヤシから得るパーム油をベースとする植物性バイオディーゼル自動車燃料「ＥＢＤ」や廃食油燃料等を代表とするディーゼル自動車用代替燃料に好適であると共に消防法等の関連法規に適合し安全貯蔵量を多量化し得る新規なディーゼル自動車用代替燃料の貯蔵供給設備を提供することを目的とするものである。
【課題を解決するための手段】
【０００８】
上記課題を達成するため、本願考案に係るディーゼル自動車用代替燃料の貯蔵供給設備は、基盤の周縁に防油堤板を周設して上面解放の升形状基枠を形成し、該升形状基枠に給油用の操作器具類、計量メーター類等を適宜に配備する正面パネル部を設けると共に該升形状基枠にディーゼル自動車用代替燃料の貯蔵に適合する円筒状等のオイルタンクを一体的に設置固定してオイルタンクユニットを構成し、該オイルタンクユニットを周縁に防油堤凹溝を設けてなる所定のコンクリート打設地盤上にアンカーボルト等を用いて強固に設置固定することを最も主要な特徴とするものであり、また、前記升形状基枠の所要箇所に水抜きバルブを配備してなることをも特徴とするものである。
【考案の効果】
【０００９】
本願考案に係るディーゼル自動車用代替燃料の貯蔵供給設備は、植物性バイオディーゼル自動車燃料「ＥＢＤ」や廃食油燃料等を代表とするディーゼル自動車用代替燃料に好適であり、消防法等の関連法規によく適合して、その安全貯蔵量を多量化することができる。また、ディーゼル自動車用代替燃料のオイルタンクからの万一の過誤漏出及び事故漏出に対しても貯蔵供給設備からの外部への流出を未然に防止し得て、安全管理を図ることができる等の優れた実用的効果を奏する。
【考案を実施するための最良の形態】
【００１０】
本考案は、植物性バイオディーゼル自動車燃料「ＥＢＤ」や廃食油燃料等を代表とする植物性のディーゼル自動車用代替燃料に好適であると共に消防法等の関連法規に適合し安全貯蔵量を多量化し得るディーゼル自動車用代替燃料の貯蔵供給設備を提供するという目的を、きわめて簡単有効なる設備構造によって、コストを抑制して廉価に市場に提供できるディーゼル自動車用代替燃料の貯蔵供給設備を簡便に実現したものである。
【実施例】
【００１１】
以下に、本考案の構成を図示する実施例に基づいて説明する。
【００１２】
図１において、１は、升形状基枠であって、該升形状基枠１は、強靱な基盤２の周縁に適宜高さを有する防油堤板３を周設して方形等の上面を解放する升形状を形成している。該升形状基枠１の正面部には、給油ノズル４等の給油用の操作器具類、計量メーター類５等を適宜に配備してなる正面パネル部６を設けている。該正面パネル部６には、任意の表示や広告、看板等を任意に表出することができる。
【００１３】
正面パネル部６の背部の升形状基枠１には、屋外対応基準に適合するオイルタンク７を一体的に設置固定してオイルタンクユニット８を構成している。これにより、オイルタンク７からのディーゼル自動車用代替燃料の万一の過誤漏出及び事故漏出に対して、その漏出分を該升形状基枠１の内部に溜めて外部への不用な流出を未然に防止することができる。オイルタンク７は、２０００Ｌ程度の貯蔵容積を有し、少量危険物等タンク検査済で、かつ、耐震設計震度０．６程度以上の品質を保有するものが好適である。
【００１４】
該オイルタンク７における上部には、タンクローリー用のジョイント機構を装備した給油口９を設けていると共に下部にはロック式コックを装備してなる送油口（図示省略）を設けている。該送油口は、ギヤーポンプ（図示省略）を介して前記正面パネル部６に配備する給油ノズル４にオイルタンク７内部のディーゼル自動車用代替燃料を給送し得るよう構成している。また、該升形状基枠１には、その対角線部位等に適宜に水抜きバルブ１０を配設して、該升形状基枠１内部に溜まった雨水を外部に迅速に排除できるようになしている。
【００１５】
このようにして升形状基枠１にオイルタンク７を一体化して構成してなるオイルタンクユニット８は、図４に示すように所要面積を有するコンクリート打設地盤１１上にアンカーボルト等を介して強固に一体的に設置固定している。
【００１６】
コンクリート打設地盤１１は、その周縁に周回状の防油堤凹溝１２を配設しており、該防油堤凹溝１２の所要箇所に油水分離槽１３を配設している。該油水分離槽１３は、油水を分離して各々を排出処理できるように構成されている。
【００１７】
また、該コンクリート打設地盤１１は、消防法等の関連法規上から上記の如くに設置固定したオイルタンク７のその四方向の各々に少なくも２０００ｍｍ長以上の保有空地を形成し得るに足る面積を有するように設定することを必要とする。但し、併設に建物等がある場合には、２０００mｍ高以上のブロック塀をもって代替することが可能である。
【００１８】
なお、図中の１４は、前記したオイルタンク７内部のオイルを揚油して正面パネル部６に配備する給油ノズル４に給送するギヤーポンプを設置固定するためのポンプ設置台を示す。また、図中の１５は、正面パネル部６を補強するために斜設した補強支持部材を示す。１６はオイルタンク７の点検口を示し、１７は先端に給油ノズル４を有する給油ホース１８を擦傷から保護するためのプラマー示す。また、図１、図２及び図４上においては、図３に例示する正面パネル部６に配備してなる給油ノズル４及び給油ホース１８等の図示を省略している。
【００１９】
上記した本実施例の構成は、本考案実施の一例であって、本考案の要旨を変更しない範囲内において適宜に改変して実施することができる。
【００２０】
本考案は、以上の如く構成してなるものであるから、ディーゼル自動車用代替燃料の貯蔵供給設備をオイルタンクユニット８とコンクリート打設地盤１１等との組み合わせによって簡便に実現することができ、これにより、ディーゼル自動車用代替燃料の貯蔵供給設備の設置コストを抑制して廉価に市場に提供できるものである。
【００２１】
更に、本考案のディーゼル自動車用代替燃料の貯蔵供給設備は、水抜きバルブ１０を配設してなる升形状基枠１及びコンクリート打設地盤１１に周設してなる油水分離槽１３を有す防油堤凹溝１２との二重構造によって不用意なディーゼル自動車用代替燃料の漏出に備え管理上の安全性にも優れている。
【図面の簡単な説明】
【００２２】
【図１】オイルタンクユニットの側面図である。
【図２】オイルタンクユニットの正面図である。
【図３】オイルタンクユニットの平面図である。
【図４】本考案ディーゼル自動車用代替燃料の貯蔵供給設備の全体を例示する平面図である。
【符号の説明】
【００２３】
１  升形状基枠
２  基盤
３  防油堤板
４  給油ノズル
５  計量メーター
６  正面パネル部
７  オイルタンク
８  オイルタンクユニット
９  タンクローリー用給油口
１０  水抜きバルブ
１１  コンクリート打設地盤
１２  防油堤凹溝
１３  油水分離槽
１４  ポンプ設置台
１５  補強支持部材
１６  オイルタンクの点検口
１７  プラマー
１８  給油ホース
【図１】
0003133492.tif 000003
【図２】
0003133492.tif 000004
【図３】
0003133492.tif 000005
【図４】
0003133492.tif 000006